(57)【要約】【課題】  騒音を発生させない静かなレンジフードを提供する。【解決手段】  騒音の放出口になっているレンジフード５０の吸気開口部ＩＮに、セル吸音体５１を取り付ける。この際のセル吸音体５１は、細管状の無数のセルの並列集合体であるハニカムセル５Ａと、非通気性のハニカム底面５Ｂとからなり、ハニカムセル５Ａを内側に向けてハニカム底面５Ｂによって所定の吸気通路Ｆを残してレンジフード５０の吸気開口部ＩＮを塞ぐ態様で取り付ける。騒音の音圧がハニカムセル５Ａによって区画された空気ばねを振動させ、その振動によってエネルギーを奪われ、または打ち消される。【選択図】  図１
2013170807.tif 000002
【特許請求の範囲】
【請求項１】
厨房における調理用の熱源の上方に調理排煙を取り込むための吸気開口部を有し、該吸気開口部を取り囲む複数面のダクト面によって厨房と屋外とを区画する外壁に設置された排気ファンに至る煙道ダクトを形成するように構成されるレンジフードにおいて、
前記吸気開口部に細管状の無数のセルの並列集合体であるハニカムセルの片面を非通気性のハニカム底面によって塞いでなるセル吸音体を取り付けてなり、
該セル吸音体は、前記吸気開口部の外形寸法を下回る外形寸法に形成され、前記ハニカムセルを内側に向けて前記ダクト面との間に所定の吸気通路を残して前記ハニカム底面によって前記吸気開口部を塞ぐ態様で取り付けられていることを特徴とするレンジフード。
【請求項２】
前記吸気開口部を塞ぐ態様で取り付けられたセル吸音体に加え、前記煙道ダクトを形成するダクト面に前記セル吸音体を添設したことを特徴とする請求項１に記載のレンジフード。
【請求項３】
前記吸気開口部を塞ぐ態様で取り付けられたセル吸音体に加え、前記煙道ダクトを形成する前記ダクト面に前記ハニカムセルを添設し、前記ダクト面に前記ハニカム底面の機能を負担させたことを特徴とする請求項１に記載のレンジフード。
【請求項４】
前記吸気開口部を形成するダクト面と前記セル吸音体との間に形成される前記吸気通路が階段状に屈曲形成されていることを特徴とする請求項１ないし請求項３のいずれか１項に記載のレンジフード。
【請求項５】
前記セル吸音体がパルプ系または樹脂系素材から形成され、前記ハニカム底面が金属製シートを貼着する手段によって防燃加工されていることを特徴とする請求項１ないし請求項４のいずれか１項に記載のレンジフード。
【発明の詳細な説明】
【技術分野】
【０００１】
本発明は、調理排煙を屋外に排出するために、ガスレンジやＩＨヒータ等の調理用熱源の上方位置に設置して使用されるレンジフードに関する。
【背景技術】
【０００２】
厨房と屋外を区画する外壁の適宜位置には、通常、厨房内において発生した調理排煙を強制的に屋外に排出するための排気ファンが設置される。一般的な排気ファンは、厨房と屋外とを区画する外壁に形成された排気開口部内に横向きに設置され、調理排煙を選択的に捕捉して屋外へと排気する機能に乏しい。そこで、排気ファンには、調理排煙を効率よく補足して排気ファンへと誘導するレンジフードが付属する。
【０００３】
レンジフードは、厨房における調理用の熱源の上方に調理排煙を取り込むための吸気開口部を有し、この吸気開口部から排気ファンに至る煙道ダクトを形成するように構成される。煙道ダクトを形成するための複数のダクト面は、通常、シート状鋼板の板金加工品であり、煙道ダクトは、複数のダクト面をスポット溶接手段や重ね曲げカシメ手段やリベット締め手段等によって一体化することによって組み立てられている。つまり、ダクト面以外の補強枠や補強桟を有しない単純な面構成製品である。また、煙道ダクトは、吸気開口部から排気ファンに至るまでに徐々に断面積を減ずるような形状に形成されている。
【０００４】
材質、構造および形状における上記のような特徴を有するレンジフードに関しては、排気ファンの運転に伴いかなりの騒音を発生させるという問題が指摘されている。この問題は、各家庭における個別的な実情によって特定の条件下において発生するというような問題ではなく、一般論としてうるさいのである。これは、インタネットによる簡単なアンケート調査によっても、台所の換気扇の運転音がうるさいと感じるという回答が、特にうるさいとは思わないという回答に対して圧倒的に多いことからも明らかである。
【０００５】
そこで、レンジフードを静音化するための事前準備として、レンジフードから騒音が発生する音響的なメカニズムについて調査し検討を加えた結果、次のような現象が発生していることが判明した。
【０００６】
先ず、騒音源としての嫌疑が濃厚な排気ファンを取り外し、排気ファン単体での運転音を調べたところ、排気ファン単体での騒音レベルは極めて低く、特に気に触るような騒音を発生しないことが判明した。
【０００７】
次いで、レンジフードを除去した上で排気ファンを所定箇所、つまり、壁面に設けられた排気開口部に設置して運転音を確認した。この場合には、レンジフードが排除されているのもかかわらず排気ファン単体での運転音よりかなり騒音レベルが上昇する。この原因を調査したところ、排気開口部の屋外側に取り付けられたウェザーカバーから風切り音と共振音が発生し、これが室内側に伝播してくることが判明した。
【０００８】
屋外側に設置される排気ファンのウェザーカバーは、外壁に設けられた排気開口部から室内側に風雨が吹き込むのを防ぐ目的で設置される。したがって、ウェザーカバーは、排気ファンからの排気流を衝突させて下向きに方向制御して排気するような形状に形成されている。このため、円滑な曲面が採用されているにもかかわらず相当の風切り音を発生させるのである。また、この際の排気ファンからの排気流は、均一な空気の流れではなく、排気ファンの回転数とファンブレードの数とによって決定される周期的な圧力変動を伴う波動的な空気流であり、この波動がウェザーカバーに寄生して共振音を発生させているのである。
【０００９】
ただし、排気ファン単体での低レベルの運転音や、屋外のウェザーカバーから室内に漏れてくる程度の音自体では、台所の換気扇がうるさいというような問題にはならない。しかし、ここで、取り外していたレンジフードを取り付けることにより事情は一変し、苦情の対象となる盛大な騒音が発生するのである。
【００１０】
低レベルの騒音がレンジフードを取り付けることによって高レベルの騒音に変化するということは、レンジフードがホーンとして機能していることを意味している。すなわち、レンジフードの空気流路は、音響変換効率を改善するために使用される音響ホーンの場合と同様に、厨房用の熱源の上方に大きき開口する吸気開口部から排気ファンに向かって徐々に断面積を減ずるように形成されている。このため、レンジフードは、まさに、排気ファンとウェザーカバーから発生する音を音源とする一種のホーンとして機能するのである。また、騒音を発生しているレンジフードに手を触れると、ホーン鳴きに相当する振動が寄生していることも分かる。これは、レンジフードが振動しやすいシート状鋼板の面構成製品であるからである。
【００１１】
厨房設備としてのレンジフードにおける上記騒音問題を直接的にとらえた先行技術は少ないが、参考までに、関連する技術や周辺技術に関する提案例含めて下欄に例示する。
【先行技術文献】
【特許文献】
【００１２】
【特許文献１】特開平６−２８１２２５号公報
【特許文献２】特開平７−７１８０１号公報
【特許文献３】特開平１０−２８１５１５号公報
【特許文献４】特開２００７−３１５７号公報
【特許文献５】特開２００８−８２５８１号公報
【発明の概要】
【発明が解決しようとする課題】
【００１３】
上記先行技術文献欄に例示した先行提案例のうち、本願に最も関係が深いと思われる技術は、上記特許文献２に記載された技術である。そこで、この技術内容について少し言及しておく。
【００１４】
特許文献２に記載の技術は、吸込み口に煤煙等の捕集効率を改善するためのバッフル板を備えるレンジフードを対象とし、このバッフル板による煤煙等の捕集効率を低減させることなく、ファン等から生じる発生音を効果的に低減させることを目的としている。
【００１５】
そして、上記目的を達成するために採用される技術的手段の内容は、バッフル板を内部に空間を有する吸音材によって形成することである。この際、内部に空間を有する吸音材の用語については、内部に空洞を形成した枠体を言うとの定義がなされている。また、枠体は、要求される剛性や不燃性の観点から、特に銅板によって製作することが望ましいとされている。
【００１６】
しかしながら、内部に空洞を形成した銅板製の枠体がどのように解釈したら吸音材であると言えるのか、理解することは困難である。
【００１７】
また、同文献には、さらに枠体の中に、グラスウール、ロックウールのような無機質繊維、あるいは内部に微細な空気泡を有する発泡樹脂板、発砲金属板を充填したものとすることができる、との記載がある。
【００１８】
ここで思うに、同文献に言う、内部に空間を有する吸音材とは、枠体そのものではなく、強度部材としての枠体の内部にグラスウール、ロックウールのような無機質繊維、あるいは内部に微細な空気泡を有する発泡樹脂板、発砲金属板を充填したものを示す用語であると解釈するのが相当であると解され、このような解釈は、同発明の発明者の意図するところに反しないものと思われる。
【００１９】
上記解釈によると、同文献の発明の技術趣旨は、バッフル板を備えるレンジフードにおいて、バッフル板を、内部にグラスウールやロックウールのような無機質繊維、あるいは内部に微細な空気泡を有する発泡樹脂板、発砲金属板を充填した枠体によって形成したことが要旨であるということになる。また、バッフル板の取付けに関しては、グラスウール等を備える側を機器内部側にして取り付けるべきことが説明されている。
【００２０】
すなわち、上記特許文献２に記載の技術は、グラスウール等の取付箇所の選択に特徴があるものの、吸音のメカニズムは、グラスウール等の繊維質吸音材や、発砲ポリウレタン等の多孔質吸音材を用いることを特徴とする騒音防止関連発明の常套的手段によるものであると評価することができる（特許文献１，特許文献３ないし特許文献５参照）。なお、特許文献２に記載の技術は、バッフル板を備えるレンジフードに関するが、バッフル板を備えないレンジフードについては、バッフル板ないしこれに相当する部材に重ねて適用することができると考えられることから、バッフル板の有無は特に問題とする必要はないであろう。
【００２１】
上記特許文献２に記載の発明を含め、繊維質吸音材または多孔質吸音材に依拠してレンジフード周りの騒音レベルの低減を図ろうとする発明については、次のような問題がある。
【００２２】
まず、繊維質吸音材や多孔質吸音材による吸音効果は、量比例的であって多量に使用しなければ有意の効果が挙げることができないという特質がある。この点に関し、レンジフードの一般的形状は、下向きに徐々に拡大する向きに開口する形状であるところから、自己形状維持能力を有しない吸音材を多量に取り付けることができないという構造特性を持っている。したがって、より取り付け易く吸音効率が良好な吸音材の使用が望まれるところである。
【００２３】
また、グラスウールやロックウールのような危険物質を食品周りで使用すること自体が論外であるとする見解もあるであろうし、これらに替えて使用することができるとされている多孔質吸音材には、一般的に油煙吸着性があることからレンジフード内で使用する場合においては、目詰まりによって短期間内に急激に吸音性能が低下することが懸念される。したがって、レンジフード周りに関しては、多孔質吸音材のように目詰まりを起こし易く洗浄困難な微細気泡構造に依存しない吸音材の使用が望まれる。
【００２４】
本発明は、上記のような従来の技術の検討結果に基づき、人体に対する毒性のおそれがなく、長期間にわたって高い吸音効果を維持することができるハニカム構造の吸音材をレンジフードに適用することによって、低レベルの騒音を拡大して放出する有害なホーン効果や寄生振動等を抑え込むことを課題とし、これによって静音化を達成したレンジフードを提供することを目的とする。
【課題を解決するための手段】
【００２５】
上記課題を解決するため、本発明は次のような構成を採用する。
【００２６】
（解決手段１）
本発明のレンジフードは、厨房における調理用の熱源の上方に調理排煙を取り込むための吸気開口部を有し、この吸気開口部を取り囲む複数面のダクト面によって厨房と屋外とを区画する外壁に設置された排気ファンに至る煙道ダクトを形成するように構成されるレンジフードにおいて、吸気開口部に細管状の無数のセルの並列集合体であるハニカムセルの片面を非通気性のハニカム底面によって塞いでなるセル吸音体を取り付けてなり、この際のセル吸音体は、吸気開口部の外形寸法を下回る外形寸法に形成され、ハニカムセルを内側に向けてダクト面との間に所定の吸気通路を残してハニカム底面によって吸気開口部を塞ぐ態様で取り付けられていることを特徴とする。
【００２７】
上記解決手段１について説明する。レンジフードは、厨房における調理用の熱源の上方に設置される。レンジフードは、調理用の熱源の上方に調理排煙を取り込むための吸気開口部を有する。レンジフードは、複数のダクト面によって吸気開口部から排気ファンに至る煙道ダクトを形成するように構成される。吸気開口部は、大面積である方が調理排煙の捕集能力が高まるのであるが、排気ファン間近においては、排気ファンの掃引面積に近い方が排気効率が高まる。したがって、煙道ダクトは、原則通り、排気ファンに向かって断面積を減ずるような全体形状に形成される。この結果、排気ファンの運転音およびその背後に設置されるウェザーカバー等による付帯音は、煙道ダクトの形状に基づいて意図せずに発揮される一種のホーン効果によって音圧レベルを高めて吸気開口部から放出されることとなる。
【００２８】
レンジフードの吸気開口部には、セル吸音体が取り付けられている。このセル吸音体は、ハニカムセルとハニカム底面とからなる。
【００２９】
ハニカムセルは、細管状の無数のセルの並列集合体である。ハニカムセルの材質は特に限定されない。また、ハニカム底面は、ハニカムセルの片面に取り付けられる、または一体成形される非通気性の面状部材であり、無数のセルの一端側の開口部を塞ぐ機能を有する。ハニカム底面の材質についても、非通気性であれば特に限定されない。このようなセル吸音体は、吸気開口部の外形寸法を下回る外形寸法に形成され、ハニカムセルを内側に向けてダクト面との間に所定の吸気通路を残してハニカム底面によって吸気開口部を塞ぐ態様で取り付けられている。
【００３０】
厨房における調理用の熱源付近から立ち上がった調理排煙等は、吸気開口部を塞ぐように取り付けられたセル吸音体のハニカム底面に衝突し、ハニカム底面に沿って側方に向きを変え、セル吸音体と周囲のダクト面との間に設定された吸気通路を介してレンジフード内に取り込まれる。
【００３１】
レンジフード内に取り込まれた調理排煙等は、煙道ダクトを介して排気ファンの方に吸引され、屋外に排出される。一方、この際の排気ファンの運転音や排気に伴う付帯騒音は、煙道ダクトを介して吸気開口部へと伝播する。伝播した騒音は、吸気開口部を塞ぐように取り付けられたセル吸音体のハニカムセル側に衝突する。
【００３２】
ハニカムセルは、細管状の無数のセルの並列集合体であることから音の反射面を殆んど有しない構造体である。したがって、ハニカムセルに衝突した音圧は、無数のセルの総数に分断された状態でハニカムセル内に波及する。しかし、ハニカムセルの片面がハニカム底面によって塞がれているため、ハニカムセルを通過してレンジフード外に波及することはできない。すなわち、セル吸音体に衝突した騒音の音圧は、ハニカムセルの表面レベルで反射することも反対側に抜け出ることもできない。
【００３３】
空気は弾性体であり、音は空気の粗密波である。ハニカムセルの各セル内において周囲を区画された存在する空気は、波及してくる音圧に対して空気ばねとして機能する。この結果、ハニカムセルに衝突した音圧は、その粗密状態にしたがって各セル内の空気ばねを作用させ、空気ばねは、畜力と放出を繰り返すように振動する。すなわち、空気ばねにも粗密状態が生じる。この際の空気ばねの振動数は、音の振動数に同期する。
【００３４】
具体的には、音圧の粗密と空気ばねの粗密が対応するように同期する。つまり、音圧の密状態エネルギーは、各セル内の空気ばねを密状態に圧縮することによって消尽する。次いで、空気ばねは、畜力されたエネルギーを放出しようとする。この際の空気ばねのエネルギー放出作用と音圧の粗状態とが対応する。したがって、空気ばねから放出されたエネルギーは、粗状態の音圧に充填されて消尽する。
【００３５】
上記のようなハニカムセルによる消音メカニズムは、音の粗密状態の打消し中和作用とみることもできるし、音の粗密状態の位相を反転していると見ることもできる。しかし、本発明は、両見解のいすれが正しいかを解明することを目的とするものではなく、ハニカムセルの圧倒的に明確な消音作用を活用することを目的としている。
【００３６】
なお、本発明のセル吸音体のようなハニカム構造体が有する吸音作用については、上記理由付けとは異なる諸説があるようであるが、これらの所説は事実としての吸音作用の説明理論として主張されているのであり、いずれの説による場合にも吸音作用の存在自体が否定されるものではない。
【００３７】
また、上記のような吸音メカニズムに基づくセル吸音体の吸音作用は、材質に依存しないので、洗浄可能な材質によって形成することができ、セル吸音体の使用によってレンジフードの衛生状態が懸念されるおそれもない。また、ハニカムセルを構成する各セルの口径は、多孔質吸音材に比べれば格段に大径であるため目詰まりのおそれもないので、初期性能を長期間維持することができる。
【００３８】
（解決手段２）
本発明のレンジフードは、上記、吸気開口部を塞ぐ態様で取り付けられたセル吸音体に加え、煙道ダクトを形成するダクト面にもセル吸音体を備える構成とすることができる。
【００３９】
上記解決手段２について説明する。煙道ダクト内を排気ファン側から吸気開口部へと伝播する音は、一種の圧力波であることから、煙道ダクトを形成するあらゆる面に作用しながら伝播してくる。そこで、煙道ダクトを形成するダクト面にもセル吸音体を設置することによって、吸気開口部に至る以前の段階の音圧を吸収することができるので、最終的な吸音効果を一層高めることができる。また、ハニカムセルを構成する各セルの口径や深さ寸法を調節することによって、吸気開口部に設置するセル吸音体とダクト面に設置するセル吸音体とで、異なる帯域の音を吸音するようにすることもできる。
【００４０】
（解決手段３）
本発明のレンジフードは、上記、吸気開口部を塞ぐ態様で取り付けられたセル吸音体に加え、煙道ダクトを形成するダクト面にハニカムセルを添設し、ダクト面にハニカム底面の機能を負担させる構成とすることができる。
【００４１】
上記解決手段３について説明する。上記解決手段は、ダクト面にセル吸音体のハニカム底面の機能を負担させることができることを示している。ハニカム底面に求められる要件は、非通気性であって、ハニカムセルの片面を塞ぐことができることである。そして、レンジフードのダクト面は、この要件を充足するものである。したがって、ハニカムセルのみをダクト面に取り付けることによって、実質的にハニカム底面を備えるセル吸音体が形成される。
【００４２】
（解決手段４）
本発明のレンジフードは、吸気開口部を形成するダクト面とセル吸音体との間に設定される吸気通路が階段状に屈曲形成された構成とすることができる。
【００４３】
上記解決手段４について説明する。上記解決手段は、セル吸音体と周囲のダクト面との間に設定される吸気通路から直進性の高い周波数帯域の音が漏れだしてくるのを防止する趣旨である。すなわち、レンジフードにとって吸気通路は必要的であり、これを省略することはできない。しかし、吸気通路がダクト内部と直線的に位置する場合、騒音成分が吸気通路を介して漏出してくることが避けられない。そこで、吸気通路を階段状に屈曲形成することによって、少なくとも騒音成分中の直進性の強い中高域成分を大きく減衰させることができるのである。
【００４４】
（解決手段５）
本発明のレンジフードは、セル吸音体がパルプ系または樹脂系素材から形成され、ハニカム底面が金属製シートを貼着する手段によって防燃加工された構成とすることができる。
【００４５】
上記解決手段５について説明する。上記解決手段は、セル吸音体の素材として吸音性能以外の理由、例えば、使い捨てに適する、軽量で洗い易い等の理由により、パルプ系または樹脂系素材を用いた場合においては、例えば、天ぷら鍋に火が入った等の事故に際しての耐火性能や防燃性能の乏しいことが懸念される。そこで、セル吸音体の素材に火に弱い素材を使用する場合には、セル吸音体の使用上、厨房用の熱源側を向いているハニカム底面に金属製シートを貼着する手段によって、セル吸音体に簡単に耐火性能ないし防燃性能を付与することができる旨を示している。
【発明の効果】
【００４６】
本発明のレンジフードは、厨房における調理用の熱源の上方に調理排煙を取り込むための吸気開口部を有し、この吸気開口部を取り囲む複数面のダクト面によって厨房と屋外とを区画する外壁に設置された排気ファンに至る煙道ダクトを形成するように構成されるレンジフードに特殊な吸音部材を組み込んだこと、具体的には、吸音部材として、細管状の無数のセルの並列集合体であるハニカムセルの片面を非通気性のハニカム底面によって塞いでなるセル吸音体を採用し、レンジフードの吸気開口部に、調理排煙を吸い込むための所定の吸気通路を残してハニカム底面によって吸気開口部を塞ぐ態様、すなわち、ハニカムセルをレンジフードの内側に向けてセル吸音体を取り付けることによって、レンジフードとしての機能を阻害することなく、レンジフードによって拡大された排気ファン等の騒音が吸気開口部を介して放出されることとなる騒音をセル吸音体のハニカムセル内に取り込み、各セル内において音圧エネルギーを消尽させるという明快な吸音メカニズムよって消滅させることができるので、従来のレンジフードに比べて圧倒的に静かなレンジフードが実現された。
【００４７】
また、ハニカムセルとハニカム底面とからなるセル吸音体は、多孔質吸音部材のような目詰まり現象を生じさせることがないので、長期間にわたって高い吸音効果を維持することができるという利点も有する。
【図面の簡単な説明】
【００４８】
【図１】本発明のレンジフードの実施の形態を示す透視斜視図である。
【図２】上記実施の形態に示すレンジフードの側面視の断面図である。
【図３】上記実施の形態に示すレンジフードに組み込まれているセル吸音体の斜視図である。
【図４】上記実施の形態に示すセル吸音体の拡大断面図である。
【図５】上記実施の形態に示すセル吸音体の動作説明図である。
【図６】本発明のレンジフードの他の実施の形態を示す側面視の断面図である。
【図７】本発明のレンジフードの他の実施の形態を示す側面視の断面図である。
【図８】本発明のレンジフードの実施の形態を示す側面視の断面図である。
【発明を実施するための形態】
【００４９】
以下、図面を引用しながら本発明のレンジフードの実施の形態について説明する。
【００５０】
例示のレンジフード５０は、いずれもシート状鋼板を素材とするダクト面である天面１、左右の側面２，２、前面３、背面４とを備える板金加工による面構成製品であり、通常、厨房の調理用の熱源３０の上方位置に排気ファン１０を設置した外壁Ｗに沿って設置される（図１）。外壁Ｗの外側には、排気ファン１０用のウェザーカバーが取り付けられる。
【００５１】
レンジフード５０を構成する各ダクト面は、上方に向かって断面積を減ずる角錐台状の煙道ダクトを形成するように組み立てられ、下端部は、調理用の熱源３０の上方に大きく開口する角形の吸気開口部ＩＮとされる（図１，図２）。また、レンジフード５０の内部には、内部の空気流を制御するバッフル板５が組み込まれている。吸気開口部ＩＮと排気ファン１０との間には、通常、煤塵フィルタ６が張設される。
【００５２】
レンジフード５０には、吸気開口部ＩＮを塞ぐ態様でセル吸音体５１が組み込まれている。セル吸音体５１の全体外形は、四周のダクト面によって形成される吸気開口部ＩＮの外形を下回る外形に寸法設定され、セル吸音体５１と四周のダクト面である前面３、側面２，２、背面４との間には、それぞれ調理排煙を取り込むための吸気通路Ｆ…が確保される。
【００５３】
セル吸音体５１は、ハニカムセル５Ａとハニカム底面５Ｂとからなる（図１ないし図３）。ハニカムセル５Ａは、細管状の無数のセル５Ｓ…の並列集合体である。本実施の形態において使用されるハニカムセル５Ａは、各セル５Ｓの口径が５ミリメートル角でセル厚みＤが８センチメートル程のサイズである。なお、このセル厚みＤは、各セル５Ｓの深さＬに一致する（図４参照）。
【００５４】
セル吸音体５１を構成するハニカムセル５Ａの片面は、非通気性のハニカム底面５Ｂによって塞がれている。なお、非通気性とは、容易には空気を疎通させないという程度の意味であり、厳密な意味での非通気性は要求されない。また、本実施の形態におけるセル吸音体５１は、ハニカムセル５Ａとハニカム底面５Ｂを樹脂材料から一体に成形したものであるが、個別に成形して貼り合わせることもできる。このようなセル吸音体５１は、ハニカムセル５Ａをレンジフード５０内部に向け、ハニカム底面５Ｂを下向きにしてレンジフード５０に組み込まれる。なお、ハニカムセル５Ａないし特にハニカム底面５Ｂが非耐火素材から形成されるときには、ハニカム底面５Ｂに金属製シート５Ｍによって防燃加工することが好ましい。
【００５５】
レンジフード５０に対するセル吸音体５１の組付けには何らの困難性がない。念のために組付け手段を示すと、例えば、セル吸音体５１の４隅にかけ金具５Ｔ…を設けるとともに（図３）、レンジフード５０の側面２，２に図示しない受け金具を設ける掛止方法その他、任意の方法によって組み付けることができる。望ましくは、地震等に際して落下しない構造であることである。
【００５６】
上記のようなレンジフード５０は、調理用の熱源３０付近からの調理排煙を吸気通路Ｆ…を介して支障なく取り込んで、排気ファン１０を介して屋外に排出することができる。一方、排気ファン１０付近で発生し、煙道ダクトを経由して吸気開口部ＩＮから放出されようとする騒音をセル吸音体５１によって受け止めて吸収し、極めて静かな運転音を実現することができる。
【００５７】
本発明は、セル吸音体５１の吸音メカニズム自体を解明しようとうするものではないが、当社で解明した範囲でその吸音メカニズムを簡単に開示しておく。また、このような構造体の吸音メカニズムについては異説もあり、最良の形態を決定する上で、波動を扱う学識者による確定的な解明が望まれるところである。
【００５８】
セル吸音体５１のハニカムセル５Ａを構成する各セル５Ｓ…は、所定の断面積と深さＬを有する有底の筒体である（図４）。ハニカムセル５Ａを構成するセル隔壁５Ｋの厚みを無視して考えるものとすると、セル吸音体５１に衝突した音の波動は、各セル５Ｓ…の断面積単位でしか各セル５Ｓ…に作用を及ぼすことができないと考えられる（図５）。
【００５９】
ハニカムセル５Ａに音が衝突することは、閉じられた空間であるセル５Ｓ内に存在する空気に正負の性質を有する周期的な圧力波としての正圧波Ｐ１…と負圧波−Ｐ１…とが順次に衝突することを意味する。この際、各セル５Ｓ…内の空気には逃げ場がないため、各セル５Ｓ…内の空気は、周期的な圧力波に対して空気ばねＡＳとして機能すると考えられる。
【００６０】
セル５Ｓ内の空気ばねＡＳを圧縮する力があるのは、正圧波Ｐ１…である。ハニカムセル５Ａに到達した最初の正圧波Ｐ１（図５（Ａ））がセル５Ｓ内の空気ばねＡＳを圧縮しながらセル５Ｓに入り込み（図５（Ｂ））、正圧波Ｐ１のエネルギーは、空気ばねＡＳに畜力され、正圧波Ｐ１は消滅する（図５（Ｃ））。
【００６１】
次いで、空気ばねＡＳが畜力した正圧波Ｐ１のエネルギーを放出する動作と同時に、最初の負圧波−Ｐ１がセル５Ｓ内に進行してくる。このため、空気ばねＡＳから放出された正圧波Ｐ１のエネルギーが負圧波−Ｐ１に充填され、負圧波−Ｐ１が消滅するとともに、空気ばねＡＳは、自由長さに復帰する（図５（Ｄ））。この時点で、第２波の正圧波Ｐ２がセル５Ｓに到来している。
【００６２】
次いで、自由長さに復帰した空気ばねＡＳに第２波の正圧波Ｐ２が作用し、上記と同様の打消し動作を繰り返すのである。簡単な測定の結果、各セル５Ｓ
が奏するこのような消音作用は、セル５Ｓ内の空気ばねＡＳがばねとして機能する範囲において殆んど周波数依存性を有しないことが観察できる。つまり、可聴周波数内の広帯域の音を明快に消音することができる。
【００６３】
なお、セル５Ｓの深さを際限なく深くすると、また、浅くすると吸音効果はどう変化するのか、セル５Ｓの断面積を際限なく拡大すると、また、小さくすると吸音効果がどう変化するのは、未だ解明中である。
【００６４】
レンジフード５０の商品形態は多様であるが、吸気開口部ＩＮが存在しないレンジフード５０はないので、本発明は、格別の設計変更なく多様なレンジフード５０に適合することができる（図６ないし図８）。また、セル吸音体５１を構成するハニカムセル５Ａのみを利用することもできる（図６）。
【００６５】
レンジフード５０が、吸気開口部ＩＮにスリット構造、またはパンチングメタルのバッフル板７を有するものである場合には、バッフル板７の前面にセル吸音体５１を設置することによって（図６）、バッフル板７を介して吸気開口部ＩＮから放出される音を消音することができる。また、セル吸音体５１は複数個を併用することもでき、この際、セル吸音体５１を煙道ダクトを構成するいずれかのダクト面、例えば、前面３に直付けする場合には、セル吸音体５１のハニカム底面５Ｂを省略することができる。ダクト面がハニカム底面５Ｂとしてハニカムセル５Ａの片面を塞ぐように機能するからである。
【００６６】
レンジフード５０に組み込むセル吸音体５１のハニカムセル５Ａは、均一なセル厚みであることを要しない（図７）。本図のレンジフード５０は、対称形状の前面３と背面４を有し、大部屋の中央位置の天井部に設置して使用される形式のものである。使用されるセル吸音体５１は、吸気開口部ＩＮの内部空間形状に倣って、中央部においてハニカムセル５Ａのセル厚みＤが厚いものである。解明途上ではあるが、確認できる範囲で多様な周波数帯域の音に対する消音効果を向上させることができる。
【００６７】
レンジフード５０にセル吸音体５１を組み込んだ際に、セル吸音体５１と周囲のダクト面、例えば、セル吸音体５１と前面３、セル吸音体５１と背面４との間に形成される吸気通路Ｆ…は、これを階段状に形成することによって、内部騒音の直接放射を阻止することができる。これは、簡単なことではあるが、実益のある消音効果が認められる。
【符号の説明】
【００６８】
Ｗ        外壁
Ｆ        吸気通路
１０      排気ファン
ＩＮ      吸気開口部
１        天面（ダクト面）
２        側面（ダクト面）
３        前面（ダクト面）
４        背面（ダクト面）
３０      調理用の熱源
５０      レンジフード
５１      セル吸音体
５Ａ      ハニカムセル
５Ｂ      ハニカム底面
５Ｓ      セル
【図１】
2013170807.tif 000003
【図２】
2013170807.tif 000004
【図３】
2013170807.tif 000005
【図４】
2013170807.tif 000006
【図５】
2013170807.tif 000007
【図６】
2013170807.tif 000008
【図７】
2013170807.tif 000009
【図８】
2013170807.tif 000010